(57)【要約】【課題】  シート媒体に対して一定期間でパンチ処理を行うことを可能とする。【解決手段】  直流モータ３９は、所定の直流駆動電力によって駆動される。パンチ孔穿孔部は、進退動作してシート媒体にパンチ孔を穿孔するパンチ部と、直流モータ３９の回転動作によってパンチ部を進退動作させる変位動作部とを有する。計測部４３は、パンチ部の静止ホームポジションから進退動作して当該静止ホームポジションに戻る期間を計測して計測値を出力する。モータ制御部４５は、計測部４３における計測値を所定の基準値と比較し、計測値が長いとき直流モータ３９への駆動電流を増加制御し、計測値が短いとき直流モータ３９への駆動電流を減少制御する。【選択図】  図１
2010115745.tif 000002
【特許請求の範囲】
【請求項１】
所定の直流駆動電力によって駆動される直流モータと、
進退動作してシート媒体にパンチ孔を穿孔するパンチ部と、前記モータの回転動作によって前記パンチ部を進退動作させる変位動作部とを有するパンチ孔穿孔部と、
前記パンチ部の静止ホームポジションから前記進退動作して当該静止ホームポジションに戻る期間を計測して計測値を出力する計測部と、
前記計測部における前記計測値を所定の基準値と比較し、前記計測値が長いとき前記モータへの駆動電力を増加制御し、前記計測値が短いとき前記モータへの駆動電力を減少制御するモータ制御部と、
を具備することを特徴とするパンチ孔穿孔装置。
【請求項２】
前記計測部は、前記パンチ部が前記進退動作して前記静止ホームポジションに位置することを検出する機能を有する請求項１記載のパンチ孔穿孔装置。
【請求項３】
前記モータ制御部は、前記計測値の前記基準値と長短の差に応じて、前記モータへの駆動電力の増加制御量又は減少制御量を可変する請求項１又は２記載のパンチ孔穿孔装置。
【請求項４】
前記請求項１〜３いずれか１記載のパンチ孔穿孔装置を有し、画像データに基づき画像形成された前記シート媒体に対し、前記パンチ孔穿孔処理としての後処理をすることを特徴とする後処理装置。
【発明の詳細な説明】
【技術分野】
【０００１】
本発明はパンチ孔穿孔装置および後処理装置に係り、複合機（ＭＦＰ：Multi Function Peripheral）等に連結されフィニッシャー機能を有する後処理装置に搭載して好適するパンチ孔穿孔装置および当該後処理装置の改良に関する。
【背景技術】
【０００２】
近年、複合機等の画像形成装置にあっては、印刷排紙された用紙に対してパンチ孔穿孔処理、ステープル処理、仕分け処理等のフィニッシャー機能を実行するために、それらの機能を有する後処理装置を連結することがしばしば行われる。
【０００３】
そして、例えばパンチ孔穿孔処理は、モータの回転駆動の基づき上下動制御されたパンチ刃で印刷用紙を打ち抜くことによりパンチ孔を穿孔するようになっている。
【０００４】
なお、この種の一般的なパンチ孔穿孔装置を示すとすれば、例えば特開２００７−２２２９７４号公報（特許文献１）の後処理装置がある。
【特許文献１】特開２００７−２２２９７４号公報
【発明の開示】
【発明が解決しようとする課題】
【０００５】
しかし、従来のパンチ孔穿孔装置においては、そのパンチ孔を開ける枚数によってはパンチ刃の刃先が削れてくるので、刃先の状態によってパンチ孔を開けるために必要な時間が異なり易く、経時的にパンチ孔穿孔処理期間が不揃いになって生産性が安定し難点がある。
【０００６】
そこで、本発明者は、従来のパンチ孔穿孔装置について鋭意観察検討を行った結果、パンチ刃がホームポジションから変位してパンチ孔を穿孔し、再度、ホームポジションに戻るまでの時間を計測することで刃先の状態を推測可能であり、パンチ刃を上下動させるモータの駆動電力を制御することにより、パンチ孔穿孔処理期間を安定化させることが可能である点に着目し、本発明を完成させた。
【０００７】
本発明はそのような課題を解決するためになされたもので、シート媒体に対して一定期間でパンチ処理を行うことが可能なパンチ孔穿孔装置および後処理装置の提供を目的とする。
【課題を解決するための手段】
【０００８】
そのような課題を解決するために本発明の請求項１に係るパンチ孔穿孔装置は、所定の直流駆動電力によって駆動される直流モータと、進退動作してシート媒体にパンチ孔を穿孔するパンチ部と、そのモータの回転動作によってそのパンチ部を進退動作させる変位動作部とを有するパンチ孔穿孔部と、そのパンチ部の静止ホームポジションから進退動作して当該静止ホームポジションに戻る期間を計測して計測値を出力する計測部と、この計測部における計測値を所定の基準値と比較し、その計測値が長いときそのモータへの駆動電力を増加制御し、その計測値が短いときそのモータへの駆動電力を減少制御するモータ制御部と、を具備している。
【０００９】
本発明の請求項２に係るパンチ孔穿孔装置は、上記計測部において、そのパンチ部が進退動作して静止ホームポジションに位置することを検出する機能を有する構成を有している。
【００１０】
本発明の請求項３に係るパンチ孔穿孔装置は、上記モータ制御部が、その計測値の基準値と長短の差に応じて、そのモータへの駆動電力の増加制御量又は減少制御量を可変する構成を有している。
【００１１】
本発明の請求項４に係る後処理装置は、それらパンチ孔穿孔装置を有し、画像データに基づき画像形成された前記シート媒体に対し、そのパンチ孔穿孔処理としての後処理をする構成を有している。
【発明の効果】
【００１２】
このような本発明の請求項１に係るパンチ孔穿孔装置では、直流モータの回転駆動により、変位動作部を介してパンチ部を進退動作させてシート媒体にパンチ孔を穿孔し、そのパンチ部の静止ホームポジションから当該静止ホームポジションに戻る期間を計測部で計測して計測値を出力し、この計測値が基準値より長いときそのモータへの駆動電力を増加制御し、その計測値が短いときその駆動電力を減少制御するから、シート媒体に対して一定期間でパンチ処理を行うことを可能となる。
【００１３】
本発明の請求項２に係るパンチ孔穿孔装置では、上記計測部が、そのパンチ部が進退動作して静止ホームポジションに位置することを検出するから、そのパンチ部の静止ホームポジションの検出部材を上記計測部に流用可能で、構成を複雑化させ難い。
【００１４】
本発明の請求項３に係るパンチ孔穿孔装置では、上記モータ制御部が、その計測値の基準値と長短の差に応じて、そのモータへの駆動電力の増加制御量又は減少制御量を可変するから、パンチ部の摩耗やシート媒体の厚みに応じて一定期間でパンチ処理を行うことを可能となる。
【００１５】
本発明の請求項４に係る後処理装置では、それらパンチ孔穿孔装置を有し、画像データに基づき画像形成された前記シート媒体に対し、そのパンチ孔穿孔処理としての後処理をするから、シート媒体に対して一定期間でパンチ処理を行うことが可能となる。
【発明を実施するための最良の形態】
【００１６】
以下、本発明に係るパンチ孔穿孔装置および後処理装置の実施の形態を図面を参照して説明する。なお、本発明に係るパンチ孔穿孔装置は、画像形成装置とこれに連結された本発明の後処理装置を説明する過程で説明する。
【００１７】
図１は画像形成装置Ａおよびこれに後処理装置Ｂを外部的に連結した画像形成システムを示す概略ブロック図である。
【００１８】
まず、画像形成装置Ａの構成を簡単に説明しておく。
【００１９】
画像形成装置Ａは、印刷制御部１を中心にして画像読取部３、通信部５、記憶部７、操作パネル部９、印刷部１１および入出力インターフェース部１３を有し、例えば複合機を構成している。
【００２０】
なお、画像形成装置Ａとしてはこれ以外にも種々の構成を有するが、本発明の要部ではないので説明および図示を省略する。
【００２１】
印刷制御部１は、画像読取部３、通信部５、記憶部７、操作パネル部９、印刷部１１および入出力インターフェース部１３を制御するものであるが、詳細は後述する。
【００２２】
画像読取部３は、例えば図２の画像形成装置Ａにおいて、本体ケース１５の上部に配置され、印刷制御部１の制御の下、例えば印刷された原稿から画像を光学的に読み込み、フィルタ処理等をして電子的画像データを生成する公知のスキャナー等であり、生成した画像データが原稿の頁毎に記憶部７に順次記憶されるようになっている。画像形成装置Ａの内部構成については後述する。
【００２３】
図１に戻って、通信部５は、印刷制御部１の制御の下、ネットワークを介して例えば他の複合機（何れも図示せず。）との間で、画像や文書を含む画像データを所定のプロトコルで受信し、頁毎に記憶部７に順次記憶する機能を有する。
【００２４】
記憶部７は、画像読取部３や通信部５からの画像データ、印刷制御部１の動作プログラムの他、後述するパンチ孔穿孔に係る基準値、種々の管理データ、動作画面等を格納する読み書き可能な例えばハードディスク（ＨＤＤ）である。
【００２５】
操作パネル部９は、例えば図２の画像形成装置Ａの本体ケース１５の上部に配置され、画像形成装置Ａの動作状態を表示する液晶形の表示部として機能するとともに、印刷する印刷媒体である用紙をセットする後述する給紙段２３ａ、２３ｂの選択、セットする用紙の厚み情報、印刷の実行又は中止、印刷部数等の指示入力部としての機能の他、後処理装置Ｂにおけるフィニッシャー機能、例えばパンチ孔穿孔機能の選択指示等を受付ける入力部として機能しており、印刷制御部１によって制御される。
【００２６】
印刷部１１は、図２の画像形成装置Ａの本体ケース１５内に配置され、給紙段２３ａ、２３ｂから用紙を給紙し、給紙し搬送された用紙の片面又は両面に画像データをモノクロ印刷又はカラー印刷して排紙するものである。
【００２７】
入出力インターフェース部１３は、印刷制御部１を後処理装置Ｂに接続するとともに種々の情報の送受信を制御する公知のインターフェース機能を有し、フィニッシャー機能、例えばパンチ孔穿孔指示情報を出力するとともに、その処理結果情報を印刷制御部１に出力する機能を有している。
【００２８】
印刷制御部１は、ＣＰＵ、このＣＰＵの起動プログラムを格納したメモリ部、インターフェース（いずれも図示せず。）を有し、上述した画像読取部３、通信部５、記憶部７、操作パネル部９、印刷部１１および入出力インターフェース部１３を制御するとともにその一部を担っている。
【００２９】
印刷制御部１は、給紙段２３ａ、２３ｂから用紙を給紙し、記憶部７の画像データを用紙に印刷して排紙するよう印刷部１１を制御する機能を有している。
【００３０】
印刷制御部１は、操作パネル部９から入力指示され又は画像データに含まれたフィニッシャー指示、例えばパンチ孔穿孔指示情報、ステープル処理指示情報等の後処理実行情報を入出力インターフェース部１３を介して後処理装置Ｂに出力する他、後処理装置Ｂを制御する機能を有している。
【００３１】
次に、画像形成装置Ａに連結接続された本発明の後処理装置Ｂを説明する。
【００３２】
後処理装置Ｂは、図１に示すように、画像形成装置Ａの入出力インターフェース部１３に接続され、パンチ孔穿孔装置１７、ステープル処理装置１９および後処理制御部２１等を有して構成されている。後処理装置Ｂは、それら以外の構成も有するが、本発明の要部ではないから説明および図示を省略する。
【００３３】
パンチ孔穿孔装置１７は、後処理制御部２１の制御の下、画像形成装置Ａからのパンチ孔穿孔指示情報に基づき、画像形成装置Ａから搬入された用紙にパンチ孔を穿孔するパンチ孔穿孔処理を実行する機能を有し、本発明に係る特徴を有するものである。その詳細な構成は後述する。
【００３４】
ステープル処理装置１９は、後処理制御部２１の制御の下、画像形成装置Ａからのステープル処理指示情報に基づき、画像形成装置Ａから搬入された用紙を部毎にピンで止めてステープル処理する機構部である。
【００３５】
後処理制御部２１は、ＣＰＵ、このＣＰＵの動作プログラムを記憶した記憶部（いずれも図示せず。）からなり、印刷制御部１からの後処理指示情報に基づき、それらパンチ孔穿孔装置１７およびステープル処理装置１９に対しパンチ処理およびステープル処理を実行制御するとともに、パンチ孔穿孔装置１７およびステープル処理装置１９からの処理結果情報を印刷制御部１に出力する機能を有している。
【００３６】
図２は、上述した画像形成装置Ａおよび後処理装置Ｂの内部構成を示す概略図である。
【００３７】
図２において、画像形成装置Ａの本体ケース１５の下部には、複数の給紙段２３ａ、２３ｂに加え、これらの給紙段２３ａ、２３ｂから１次給紙された用紙を２次給紙する搬送部に、画像データを転写定着して画像形成する転写定着部２５が配置され、上述した印刷部１１が配置されている。
【００３８】
反転搬送部２７は、片面に画像が転写定着された用紙を両面印刷用に表裏反転させて転写定着部２５に戻す機能を有し、印刷部１１を形成している。
【００３９】
本体ケース１５の側面上部には、印刷部１１で印刷された用紙が排紙される排紙口２９が形成されている。
【００４０】
本体ケース１５の上部には、上述した画像読取部３および操作パネル部９が配置されており、印刷制御部１、通信部５、記憶部７および入出力インターフェース部（図２では入出力Ｉ／Ｆ部と略す。）１３が本体ケース１５内部の適当な位置に電子回路を形成して配置されている。
【００４１】
画像形成装置Ａに連結された後処理装置Ｂは、当該後処理装置Ｂの本体ケース３１の上部に、排紙口２９に揃う搬入口３３を有しており、搬入口３３から形成された搬送路には上述したパンチ孔穿孔装置１７およびステープル処理装置１９が配置されている。
【００４２】
なお、図２中の符号３５は搬入口３３から搬入された部毎の用紙をステープル処理装置１９へ搬送したり、この処理が済んだ用紙を排紙トレイ３７へ切換え搬送するレバーである。
【００４３】
次に、本発明に係るパンチ孔穿孔装置１７を説明する。
【００４４】
本発明のパンチ孔穿孔装置１７は、図１に示すように、直流モータ３９、パンチ孔穿孔部４１、計測部４３およびモータ制御部４５を有して形成されている。
【００４５】
直流モータ３９は、例えば図３Ａに示すように、後処理装置Ｂの本体ケース３１（図３では図示せず。）内の図示しない固定部に固定され、所定の直流駆動電力によって回転駆動される例えばステッピングモータ、直流（ＤＣ）ブラシレスモータ等である。
【００４６】
パンチ孔穿孔部４１は、例えば図３Ａ、Ｂに示すように、直流モータ３９の回転軸に配置された減速ギア部４７と、この減速ギア部４７に連結されたカム軸４９と、このカム軸４９に軸支された１対のカム部５１と、このカム部５１近傍に配置されたパンチ部５３と、パンチ部５３が挿通される挿通孔５５を有するダイボード部５７と、パンチくずを溜めるパンチくず収納部５９と、カム部５１の静止ホームポジションから変位動作して当該静止ホームポジションに戻るまでの期間を計測して計測値を出力する計測部４３と、この計測部４３における計測値を所定の基準値と比較し、直流モータ３９の回転数（回転トルク）を制御するモータ制御部４５と、を有して形成されている。
【００４７】
すなわち、カム軸４９は、直流モータ３９の回転数を減速する減速ギア部４７に連結されるとともに本体ケース３１内の図示しない固定部に回転自在に軸支され、直流モータ３９の回転数から減速された回転数で回転駆動される。
【００４８】
１対のカム部５１は、各々同じ楕円形状に似たカム形状を有し、カム軸４９が偏芯した位置を貫通するようにして互いに間隔を置いて同方向にそのカム軸４９に固定され、カム軸４９の回転によって回転するようになっており、カム軸４９とともにパンチ部５３を上下動させる変位動作部を形成している。
【００４９】
そのカム部５１は、図３Ｂに示すように、カム軸４９から最も距離のある外周が、パンチ部５３とは反対側（図中上側）位置に静止するようになっている。この位置をホームポジションとする。
【００５０】
パンチ部５３は、図３Ｂに示すように、カム軸４９の外周に当接する円板頭部５３ａと、この円板頭部５３ａの下面から一体的に垂下するとともに下端にパンチ刃５３ｂを有する円柱状のパンチロッド５３ｃとを有している。なお、パンチ部５３は、円板頭部５３ａがカム部５１の外周に常に当接するように、図示しない付勢バネによってカム部５１方向に付勢されている。
【００５１】
ダイボード部５７は、カップ状に形成され、用紙の搬送される搬送路板６１に形成された貫通孔６１ａに挿通孔５５を揃えて下方開放状態で配置され、パンチ部５３のパンチロッド５３ｃ外径より僅かに大きな内径でパンチ部５３が挿通される挿通孔５５を有している。
【００５２】
パンチくず収納部５９は、ダイボード部５７の下部に開口部を嵌めるようにして配置された、パンチくずを溜める容器である。
【００５３】
直流モータ３９の回転に伴ってカム軸４９が１回転すると、カム軸４９に固定された１対のカム部５１も１回転するが、楕円形状のカム部５１がカム軸４９に偏芯位置で固定されているから、カム軸４９の外周に円板頭部５３ａが当接したパンチ部５３は、カム部５１の回転によって上下動し、パンチロッド５３ｃがダイボード部５７の挿通孔５５を出入りする。
【００５４】
計測部４３は、カム部５１の静止ホームポジションから変位動作して当該静止ホームホームポジションに戻るまでの１回転期間（時間）をカウント計測して計測値を出力する機能を有するとともに、カム部５１が静止ホームポジションに位置するか否かの検出機能も有している。
【００５５】
カム部５１の１回転期間の計測およびカム部５１の静止ホームポジション位置検出は、例えば図４に示すように、カム軸４９から最も距離のある外縁近傍に形成されたスリット５１ａと、カム部５１を挟んで配置された発光受光素子６３ａ、６３ｂとによって形成され、発光素子６３ａからの発光光をスリット５１ａを介して受光素子６３ｂで受光する等、公知の構成によって検出される。
【００５６】
図５Ａは、カム部５１の静止ホームポジション位置からの回転開始に伴ってカウント計測をオンし、カム部５１が１回転して当該静止ホームホームポジションに戻ってカウントをオフする関係を図示したものであり、同図Ｂは、直流モータ３９に流れる駆動電流の変化を示している。
【００５７】
図５において、Ｐ点は計測値が基準値と一致することを示し、Ｐ１点は計測値が基準値より短く、Ｐ２点は計測値が基準値より長いことを示している。
【００５８】
モータ制御部４５は、画像形成装置Ａの印刷制御部１からパンチ孔穿孔指示情報を受けたとき、カム軸４９の１回転分だけ直流モータ３９を回転駆動させるとともに、計測部４３における計測値を取得して所定の基準値と比較し、基準値よりも計測値の方が長いとき直流モータ３９への駆動電流を予め設定された固定値分だけ増加制御し、計測値の方が短いとき直流モータ３９への駆動電流を予め設定された固定値分だけ減少制御する機能を有している。
【００５９】
なお、図３中の符号６５は、用紙を搬送するとともに、ダイボード部５７位置で一時的に停止制御する対をなす搬送ローラである。
【００６０】
次に、本発明に係るパンチ孔穿孔装置１７の動作を簡単に説明する。
【００６１】
ここでは、パンチ孔穿孔装置１７においては、カム部５１は、カム軸４９から最も距離のある外周がホームポジションに静止しており、画像形成装置Ａにおいて、操作パネル部９から印刷動作が指示されて用紙が排紙口２９から後処理装置Ｂに送られるとともに、画像形成装置Ａからパンチ孔穿孔指示情報が出力されたとして説明する。
【００６２】
後処理装置Ｂ内に搬入された用紙は、搬送ローラ６５によって搬送路板６１上を搬送されるとともに、所定のパンチ孔穿孔処理位置に至ったとき、ダイボード部５７上で一時的に停止制御され、その停止制御を受けてモータ制御部４５がカム軸４９の１回転分だけ直流モータ３９を回転制御する。
【００６３】
直流モータ３９の回転駆動力が減速ギア部４７で減速されてカム軸４９に伝達され、カム軸４９の回転によって１対のカム部５１が１回転する。
【００６４】
楕円形状のカム部５１がカム軸４９に偏芯位置に固定されているから、カム部５１の回転に伴い、カム軸４９の外周に円板頭部５３ａが当接したパンチ部５３が下方に押圧され、パンチロッド５３ｃが用紙の上からダイボード部５７の挿通孔５５に圧入され、パンチロッド５３ｃ先端のパンチ刃５３ｂが用紙の上方から突き抜けてパンチ孔が形成され、パンチくずがパンチくず収納部５９内に落下する。
【００６５】
パンチ部５３は上方向（静止ホームポジション方向）に付勢されているから、カム部５１が最下点から再び上昇して静止ホームポジションに戻る過程で、パンチロッド５３ｃがダイボード部５７の挿通孔５５や用紙から引き抜かれてパンチ孔穿孔処理が終了する。
【００６６】
パンチ孔穿孔処理の終了を受けて、搬送ローラ６５が搬送路板６１上の用紙を下流側へ搬送開始する。
【００６７】
その際、この計測部４３は、カム部５１の静止ホームポジションから回転に伴う当該静止ホームポジションまでの期間を計測し、計測値をモータ制御部４５に出力する。
【００６８】
これにより、モータ制御部４５は、次回のパンチ孔穿孔処理において、計測値を所定の基準値と比較し、計測値の方が長いとき直流モータ３９への駆動電流を固定値分増加制御して直流モータ３９の回転トルク（回転数）を増加し、計測値の方が短いときの駆動電流を固定値分減少制御して回転トルク（回転数）を減少させる。
【００６９】
このように本発明に係るパンチ孔穿孔装置１７では、所定の直流駆動電流によって駆動される直流モータ３９と、進退動作して用紙にパンチ孔を穿孔するパンチ部５３と、その直流モータ３９の回転動作によってそのパンチ部５３を上下動させるカム軸４９およびカム部５１やダイボード部５７とを有するパンチ孔穿孔部４１と、そのパンチ部５３の静止ホームポジションから進退動作して当該静止ホームポジションに戻る期間を計測して計測値を出力する計測部４３と、この計測部４３における計測値を所定の基準値と比較し、その計測値が長いときその直流モータ３９への駆動電流を増加制御し、その計測値が短いとき直流モータ３９への駆動電流を減少制御するモータ制御部４５とを具備している。
【００７０】
そのため、パンチ孔を開ける枚数によってパンチ部５３のパンチロッド５３ｃにおけるパンチ刃５３ｂが削れて摩耗しても、直流モータ３９への駆動電流を増大してトルクを大きくしてパンチ孔を開けるために必要な時間を速めることが可能であるし、逆に、パンチ刃５３ｂが鋭くてパンチ孔形成期間が短いとき、直流モータ３９への駆動電流を減少してトルクを下げてパンチ孔を開けるために必要な時間を遅らせることが可能であり、経時的にパンチ孔穿孔処理期間が一定になって生産性が安定する。
【００７１】
また、計測部４３が、そのパンチ部５３が上下動して静止ホームポジションに位置することを検出するから、そのパンチ部５３の静止ホームポジションの検出部材を計測部４３に流用可能で、構成を複雑化させ難い。
【００７２】
そして、上述したパンチ孔穿孔装置１７では、その計測値が長いとき直流モータ３９への駆動電流を固定値で増加制御し、その計測値が短いとき直流モータ３９への駆動電流を固定値で減少制御する構成であったが、本発明はこれに限定されない。
【００７３】
例えば、その計測値の基準値と長短の差に応じて、その直流モータ３９への駆動電流の増加制御量又は減少制御量を可変する構成も可能であり、これに合わせてモータ制御部４５を形成すれば良い。
【００７４】
この構成では、計測値の基準値と長短の差に応じてパンチ部５３の摩耗に応じて一定期間でパンチ処理を行うことを可能となる。
【００７５】
ところで、用紙の厚みについては、操作パネル部９から用紙の厚みを寸法値やコード番号等によって厚み情報として指示入力し、この厚み情報に対応した基準値をモータ制御部４５に設定し、これに基づき計測値との長短を得て直流モータ３９を駆動制御すれば、用紙の厚みが変化しても一定期間でパンチ処理を行うことを可能となる。
【００７６】
そして、本発明のパンチ孔穿孔装置１７において、直流モータ３９の回転数制御は、駆動電流の増加制御又は減少制御に限定されず、電流や電圧等、直流駆動電力によって可変制御する構成であれば良い。
【００７７】
また、本発明のパンチ孔穿孔装置１７において、用紙としては紙用紙に限らず、合成樹脂シート等種々のシート媒体で実施可能である。
【００７８】
さらに、上述したパンチ孔穿孔装置１７では、減速ギア部４７、カム軸４９およびカム部５１にてパンチ部５３を上下動させる変位動作部を形成したが、本発明においては、それらに限らず、種々の機構によって変位動作部を形成可能であり、上下動に限らずパンチ部５３を進退動させる構成であれば本発明の目的達成が可能である。
【００７９】
さらにまた、上述したパンチ孔穿孔装置１７を搭載した本発明に係る後処理装置Ｂも、上述した本発明のパンチ孔穿孔装置１７と同様の効果を有する。
【００８０】
なお、本発明のパンチ孔穿孔装置１７は、複写機、ファクシミリ機、複合機等の画像形成装置において実施可能である。
【図面の簡単な説明】
【００８１】
【図１】本発明に係る後処理装置を画像形成システムとともに示す概略ブロック図である。
【図２】図１の画像形成システムの内部構成を示す概略構成図である。
【図３】本発明に係るパンチ孔穿孔装置の要部を示す要部斜視図である。
【図４】本発明に係るパンチ孔穿孔装置の要部を示す要部断面図（図３中ＩＶ−ＩＶ間断面）である。
【図５】本発明に係るパンチ孔穿孔装置の動作を説明する図である。
【符号の説明】
【００８２】
１  印刷制御部
３  画像読取部
５  通信部
７  記憶部
９  操作パネル部（表示部、入力部）
１１  印刷部
１３  入出力インターフェース部
１５、３１  本体ケース
１７  パンチ孔穿孔装置
１９  ステープル処理装置
２１  後処理制御部
２３ａ、２３ｂ  給紙段
２５  転写定着部
２７  反転搬送部
２９  排紙口
３３  搬入口
３５  レバー
３７  排紙トレイ
３９  直流モータ
４１  パンチ孔穿孔部
４３  計測部
４５  モータ制御部
４７  減速ギア部（変位動作部）
４９  カム軸（変位動作部）
５１  カム部（変位動作部）
５１ａ  スリット
５３  パンチ部
５３ａ  円板頭部
５３ｂ  パンチ刃
５３ｃ  パンチロッド
５５  挿通孔
５７  ダイボード部
５９  パンチくず収納部
６１  搬送路板
６１ａ  貫通孔
６３ａ  発光素子
６３ｂ  受光素子
６５  搬送ローラ
Ａ  画像形成装置
Ｂ  後処理装置
【図１】
2010115745.tif 000003
【図２】
2010115745.tif 000004
【図３】
2010115745.tif 000005
【図４】
2010115745.tif 000006
【図５】
2010115745.tif 000007